【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内を延在し、操舵機構に連結されたボールスクリュー軸と、
モータと、
前記モータの発生した回転力を軸線方向力に変換して前記ボールスクリュー軸に伝達するボールスクリューナット手段と、
前記ボールスクリューナット手段を前記ハウジングに対して回転自在に支持する軸受と、
前記ボールスクリューナット手段に螺合されることによって、前記ボールスクリューナット手段に対して前記軸受を抑える抑え部材とを有し、
前記抑え部材は、前記ボールスクリューナット手段のねじ部に螺合するねじ部と、両ねじ部間に生じる結合力が失われた場合でも、前記抑え部材と前記ボールスクリューナット手段との相対回転を制限可能な連結手段とを有する電動式パワーステアリング装置。
【請求項２】
前記ボールスクリューナット手段は、前記モータの回転により回転する筒状体と、前記筒状体に連結されたボールスクリューナットとからなることを特徴とする請求項１に記載の電動式パワーステアリング装置。
【請求項３】
前記筒状体は、前記モータの回転子であることを特徴とする請求項２に記載の電動式パワーステアリング装置。
【請求項４】
前記連結手段は、両ねじ部間に塗布される充填剤を含むことを特徴とする請求項１〜３のいずれかに記載の電動式パワーステアリング装置。
【請求項５】
ハウジングと、
前記ハウジング内を延在し、操舵機構に連結されたボールスクリュー軸と、
回転子を有するモータと、
前記回転子の回転力を軸線方向力に変換して前記ボールスクリュー軸に伝達するボールスクリューナットと、
前記ボールスクリューナットを前記ハウジングに対して回転自在に支持する軸受と、
前記ボールスクリューナットに螺合されることによって、前記ボールスクリューナットに対して前記軸受を抑える抑え部材とを有し、
前記抑え部材は、薄肉部の少なくとも一部を前記ボールスクリューナットに向かって変形することによって、前記抑え部材と前記ボールスクリューナットとの相対回転を制限可能であって、前記ボールスクリューナットの循環路を変形させない程度のトルクで、前記ボールスクリューナットに取り付けられていることを特徴とする電動式パワーステアリング装置。
【請求項６】
前記薄肉部は薄肉円筒部であることを特徴とする請求項５に記載の電動式パワーステアリング装置。
【請求項７】
ハウジングと、前記ハウジング内を延在し、操舵機構に連結されたボールスクリュー軸と、回転子を有するモータと、前記回転子の回転力を軸線方向力に変換して前記ボールスクリュー軸に伝達するボールスクリューナットと、前記ボールスクリューナットを前記ハウジングに対して回転自在に支持する軸受と、前記ボールスクリューナットに螺合されることによって、前記ボールスクリューナットに対して前記軸受を抑える、薄肉部を備えた抑え部材とを有する電動式パワーステアリング装置の製造方法において、
前記抑え部材のねじ部を、前記ボールスクリューナットのねじ部に螺合させた後、前記薄肉部をカシメることにより相対回転を制限することを特徴とする電動式パワーステアリング装置の製造方法。
【請求項８】
前記薄肉部は薄肉円筒部であることを特徴とする請求項７に記載の電動式パワーステアリング装置の製造方法。
【請求項９】
前記ボールスクリューナットとの相対回転を制限する処理は、前記抑え部材と前記ボールスクリューナットとに、互いに連通する孔を形成し、前記孔に充填材を充填することであることを特徴とする請求項７又は８に記載の電動式パワーステアリング装置の製造方法。
【手続補正２】
【補正対象書類名】明細書
【補正対象項目名】発明の名称
【補正方法】変更
【補正の内容】
【発明の名称】電動式パワーステアリング装置及び電動式パワーステアリング装置の製造方法
【手続補正３】
【補正対象書類名】明細書
【補正対象項目名】０００１
【補正方法】変更
【補正の内容】
【０００１】
本発明は、電動モータを用いた車両の電動式パワーステアリング装置及びその製造方法に関する。
【手続補正４】
【補正対象書類名】明細書
【補正対象項目名】００１０
【補正方法】変更
【補正の内容】
【００１０】
第１の本発明の電動式パワーステアリング装置は、
ハウジングと、
前記ハウジング内を延在し、操舵機構に連結されたボールスクリュー軸と、
モータと、
前記モータの発生した回転力を軸線方向力に変換して前記ボールスクリュー軸に伝達するボールスクリューナット手段と、
前記ボールスクリューナット手段を前記ハウジングに対して回転自在に支持する軸受と、
前記ボールスクリューナット手段に螺合されることによって、前記ボールスクリューナット手段に対して前記軸受を抑える抑え部材とを有し、
前記抑え部材は、前記ボールスクリューナット手段のねじ部に螺合するねじ部と、両ねじ部間に生じる結合力が失われた場合でも、前記抑え部材と前記ボールスクリューナット手段との相対回転を制限可能な連結手段とを有する。
第２の本発明の電動式パワーステアリング装置は、
ハウジングと、
前記ハウジング内を延在し、操舵機構に連結されたボールスクリュー軸と、
回転子を有するモータと、
前記回転子の回転力を軸線方向力に変換して前記ボールスクリュー軸に伝達するボールスクリューナットと、
前記ボールスクリューナットを前記ハウジングに対して回転自在に支持する軸受と、
前記ボールスクリューナットに螺合されることによって、前記ボールスクリューナットに対して前記軸受を抑える抑え部材とを有し、
前記抑え部材は、薄肉部の少なくとも一部を前記ボールスクリューナットに向かって変形することによって、前記抑え部材と前記ボールスクリューナットとの相対回転を制限可能であって、前記ボールスクリューナットの循環路を変形させない程度のトルクで、前記ボールスクリューナットに取り付けられていることを特徴とする。
第３の本発明の電動式パワーステアリング装置の製造方法は、
ハウジングと、前記ハウジング内を延在し、操舵機構に連結されたボールスクリュー軸と、回転子を有するモータと、前記回転子の回転力を軸線方向力に変換して前記ボールスクリュー軸に伝達するボールスクリューナットと、前記ボールスクリューナットを前記ハウジングに対して回転自在に支持する軸受と、前記ボールスクリューナットに螺合されることによって、前記ボールスクリューナットに対して前記軸受を抑える、薄肉部を備えた抑え部材とを有する電動式パワーステアリング装置の製造方法において、
前記抑え部材のねじ部を、前記ボールスクリューナットのねじ部に螺合させた後、前記薄肉部をカシメることにより相対回転を制限することを特徴とする。
【手続補正５】
【補正対象書類名】明細書
【補正対象項目名】００１１
【補正方法】変更
【補正の内容】
【００１１】
第１の本発明の電動式パワーステアリング装置は、ハウジングと、前記ハウジング内を延在し、操舵機構に連結されたボールスクリュー軸と、モータと、前記モータの発生した回転力を軸線方向力に変換して前記ボールスクリュー軸に伝達するボールスクリューナット手段と、前記ボールスクリューナット手段を前記ハウジングに対して回転自在に支持する軸受と、前記ボールスクリューナット手段に螺合されることによって、前記ボールスクリューナット手段に対して前記軸受を抑える抑え部材とを有し、前記抑え部材は、前記ボールスクリューナット手段のねじ部に螺合するねじ部と、両ねじ部間に生じる結合力が失われた場合でも、前記抑え部材と前記ボールスクリューナット手段との相対回転を制限可能な連結手段とを有するので、例えばステアリングストッパ衝接時など、ボールスクリュー軸に大きな衝撃力が生じ、前記抑え部材の軸受に対する軸力がゼロとなったときでも、前記抑え部材の回動が阻止されるため、前記抑え部材はゆるむことがなく、衝撃力が消失したときには、再び軸受に対して所定の軸力を付与することができる。
第２の本発明の電動式パワーステアリング装置は、ハウジングと、前記ハウジング内を延在し、操舵機構に連結されたボールスクリュー軸と、回転子を有するモータと、前記回転子の回転力を軸線方向力に変換して前記ボールスクリュー軸に伝達するボールスクリューナットと、前記ボールスクリューナットを前記ハウジングに対して回転自在に支持する軸受と、前記ボールスクリューナットに螺合されることによって、前記ボールスクリューナットに対して前記軸受を抑える抑え部材とを有し、前記抑え部材は、薄肉部の少なくとも一部を前記ボールスクリューナットに向かって変形することによって、前記抑え部材と前記ボールスクリューナットとの相対回転を制限可能であって、前記ボールスクリューナットの循環路を変形させない程度のトルクで、前記ボールスクリューナットに取り付けられているので、例えばステアリングストッパ衝接時など、ボールスクリュー軸に大きな衝撃力が生じ、前記抑え部材の軸受に対する軸力がゼロとなったときでも、前記抑え部材の回動が阻止されるため、前記抑え部材はゆるむことがなく、衝撃力が消失したときには、再び軸受に対して所定の軸力を付与することができる。
第３の本発明の電動式パワーステアリング装置の製造方法は、ハウジングと、前記ハウジング内を延在し、操舵機構に連結されたボールスクリュー軸と、回転子を有するモータと、前記回転子の回転力を軸線方向力に変換して前記ボールスクリュー軸に伝達するボールスクリューナットと、前記ボールスクリューナットを前記ハウジングに対して回転自在に支持する軸受と、前記ボールスクリューナットに螺合されることによって、前記ボールスクリューナットに対して前記軸受を抑える、薄肉部を備えた抑え部材とを有する電動式パワーステアリング装置の製造方法において、前記抑え部材のねじ部を、前記ボールスクリューナットのねじ部に螺合させた後、前記薄肉部をカシメることにより相対回転を制限するので、例えばステアリングストッパ衝接時など、ボールスクリュー軸に大きな衝撃力が生じ、前記抑え部材の軸受に対する軸力がゼロとなったときでも、前記抑え部材の回動が阻止されるため、前記抑え部材はゆるむことがなく、衝撃力が消失したときには、再び軸受に対して所定の軸力を付与することができる。
【手続補正６】
【補正対象書類名】明細書
【補正対象項目名】００４７
【補正方法】変更
【補正の内容】
【００４７】
第１の本発明の電動式パワーステアリング装置は、ハウジングと、前記ハウジング内を延在し、操舵機構に連結されたボールスクリュー軸と、モータと、前記モータの発生した回転力を軸線方向力に変換して前記ボールスクリュー軸に伝達するボールスクリューナット手段と、前記ボールスクリューナット手段を前記ハウジングに対して回転自在に支持する軸受と、前記ボールスクリューナット手段に螺合されることによって、前記ボールスクリューナット手段に対して前記軸受を抑える抑え部材とを有し、前記抑え部材は、前記ボールスクリューナット手段のねじ部に螺合するねじ部と、両ねじ部間に生じる結合力が失われた場合でも、前記抑え部材と前記ボールスクリューナット手段との相対回転を制限可能な連結手段とを有するので、例えばステアリングストッパ衝接時など、ボールスクリュー軸に大きな衝撃力が生じ、前記抑え部材の軸受に対する軸力がゼロとなったときでも、前記抑え部材の回動が阻止されるため、前記抑え部材はゆるむことがなく、衝撃力が消失したときには、再び軸受に対して所定の軸力を付与することができる。
第２の本発明の電動式パワーステアリング装置は、ハウジングと、前記ハウジング内を延在し、操舵機構に連結されたボールスクリュー軸と、回転子を有するモータと、前記回転子の回転力を軸線方向力に変換して前記ボールスクリュー軸に伝達するボールスクリューナットと、前記ボールスクリューナットを前記ハウジングに対して回転自在に支持する軸受と、前記ボールスクリューナットに螺合されることによって、前記ボールスクリューナットに対して前記軸受を抑える抑え部材とを有し、前記抑え部材は、薄肉部の少なくとも一部を前記ボールスクリューナットに向かって変形することによって、前記抑え部材と前記ボールスクリューナットとの相対回転を制限可能であって、前記ボールスクリューナットの循環路を変形させない程度のトルクで、前記ボールスクリューナットに取り付けられているので、例えばステアリングストッパ衝接時など、ボールスクリュー軸に大きな衝撃力が生じ、前記抑え部材の軸受に対する軸力がゼロとなったときでも、前記抑え部材の回動が阻止されるため、前記抑え部材はゆるむことがなく、衝撃力が消失したときには、再び軸受に対して所定の軸力を付与することができる。
第３の本発明の電動式パワーステアリング装置の製造方法は、ハウジングと、前記ハウジング内を延在し、操舵機構に連結されたボールスクリュー軸と、回転子を有するモータと、前記回転子の回転力を軸線方向力に変換して前記ボールスクリュー軸に伝達するボールスクリューナットと、前記ボールスクリューナットを前記ハウジングに対して回転自在に支持する軸受と、前記ボールスクリューナットに螺合されることによって、前記ボールスクリューナットに対して前記軸受を抑える、薄肉部を備えた抑え部材とを有する電動式パワーステアリング装置の製造方法において、前記抑え部材のねじ部を、前記ボールスクリューナットのねじ部に螺合させた後、前記薄肉部をカシメることにより相対回転を制限するので、例えばステアリングストッパ衝接時など、ボールスクリュー軸に大きな衝撃力が生じ、前記抑え部材の軸受に対する軸力がゼロとなったときでも、前記抑え部材の回動が阻止されるため、前記抑え部材はゆるむことがなく、衝撃力が消失したときには、再び軸受に対して所定の軸力を付与することができる。